(57)【要約】【課題】プラスチック材料の使用量が少なく、従って材料コストが低く、尚且つ充分な綴じ込み性を有する綴じ具を提供することである。【解決手段】自由端２６が、支柱部分２２の孔３６の横断面形状と同一の横断面形状を有する柱状の第１端部３０と、該第１端部から先端までの円錐状の第２端部３２とを含み、前記第２係合手段が第１端部３０に形成され、支柱部分２２の、第２係合手段３８と対向する位置の上端部分４２を、該第２係合手段より高く且つその他の上端部分よりも低く位置決めした綴じ具。【選択図】        図１
2005001270.tif 000002
【特許請求の範囲】
【請求項１】
ルーズリーフ等の用紙類を取り外し自在に綴じ込むための開閉自在の綴じ具１０であって、
一方の側部２０に接近して支柱部分２２を一体形成した細長い支持部材１４と、該支持部材の他方の側部１６に可動連結した可動部材１８とを含み、該可動部材が、前記支柱部分２２の先端２８に形成した孔３６に嵌入自在であり且つ孔３６の内部に形成した第１係合手段と弾発的に係脱自在の第２係合手段を設けた自由端２６を有する細長の開閉部材２４を有し、
前記自由端２６が、支柱部分２２の孔３６の横断面形状と同一の横断面形状を有する柱状の第１端部３０と、該第１端部から先端までの円錐状の第２端部３２とを含み、前記第２係合手段が第１端部３０に形成され、
支柱部分２２の、第２係合手段３８と対向する位置の上端部分４２を、該第２係合手段より高く且つその他の上端部分よりも低く位置決めした綴じ具。
【請求項２】
支柱部分２２の孔３６及び自由端２６の第１端部３０の横断面形状が、円形、楕円形、多角形、不定形あるいはそれらの組み合わせの何れかである請求項１の綴じ具。
【請求項３】
第１係合手段３４が半径方向凹部あるいは半径方向凸部の一方であり、自由端２６の円筒部の第２係合手段３８が第１係合手段に弾発的に係脱自在の半径方向凸部あるいは半径方向凹部の他方である請求項１あるいは２の綴じ具。
【請求項４】
開閉部材２４に指掛け凹所４４を形成した請求項１〜３の何れかの綴じ具。
【請求項５】
単独で、あるいはバインダ等と組み合わせた状態で使用される請求項１〜４の何れかの綴じ具。
【発明の詳細な説明】
【０００１】
【発明の属する技術分野】
本発明はルーズリーフ等の紙片その他を閉じ込むための綴じ具に関し、詳しくは、そうした綴じ具の新規な構造に関する。
【０００２】
【従来の技術】
従来から、ルーズリーフ等の紙片その他を閉じ込むためのプラスチック製の綴じ具が種々知られている。
これらの綴じ具の中には、本件出願人による特開平０８−２２４９８４号において開示され、本願明細書に添付する図面の図５に全体を番号１で示したようなものがある。
【０００３】
この綴じ具１には、例えば、図示されない綴じ込み用紙にパンチ加工などによって予め設けた穴に挿通する位置に支柱部分３を一体形成したプレート状の支持部材５と、支柱部分３の頭部７を弾発的に係入させるための穴９を形成した、やはりプレート状の可動部材１１と、これら可動部材９及び支持部材５を相互に可動状態に連結するプレート状の連結部材１３とから成り立っている。
【０００４】
この綴じ具１は構造的に簡素で使い勝手も良いものであるが、プレート状の部材が複数使用されることからプラスチック材料の使用量が比較的多いものとなっている。従って、プラスチック材料の使用量のもっと少ない、しかもその利便性に於いて従来品と同等かあるいはそれ以上である綴じ具の開発製造が望まれている。
また、綴じ具１では、例えば、綴じ込んだ紙片等をめくる際に可動部材１１が邪魔となって大きく開くことができないという問題もある。
【０００５】
【特許文献１】
特開平０８−２２４９８４号公報
【特許文献２】
特開平０６−１７１２８７号公報
【特許文献３】
特開平１０−１３８６７９号公報
【０００６】
【発明が解決しようとする課題】
解決しようとする課題は、プラスチック材料の使用量が少なく、従って材料コストが低く、尚且つ従来の同等品に劣らないあるいはそれ以上の充分な綴じ込み性を有する綴じ具を提供することである。
他の課題は、綴じ込んだ紙片などを大きくめくることのできる綴じ具を提供することである。
他の課題は、円滑に操作することができ、しかも充分な係合力の得られる綴じ具を提供することである。
【０００７】
【課題を解決するための手段】
本発明によれば、ルーズリーフ等の用紙類を取り外し自在に綴じ込むための開閉自在の綴じ具であって、一方の側部に接近して支柱部分を一体形成した細長い支持部材と、該支持部材の他方の側部に可動連結した可動部材とを含み、該可動部材が、前記支柱部分の先端に形成した孔に嵌入自在であり且つ孔の内部に形成した第１係合手段と弾発的に係脱自在の第２係合手段を設けた自由端を有する細長の開閉部材を有し、
前記自由端が、支柱部分の孔の横断面形状と同一の横断面形状を有する柱状の第１端部と、該第１端部から先端までの円錐状の第２端部とを含み、前記第２係合手段が第１端部に形成され、
支柱部分の、第２係合手段と対向する上端部分を、該第２係合手段より高く且つその他の上端部分よりも低くした綴じ具が提供される。
【０００８】
本発明の１実施例においては、支柱部分の孔及び自由端の第１端部の横断面形状が、円形、楕円形、多角形、不定形あるいはそれらの組み合わせの何れかである。
【０００９】
また別の実施例では第１係合手段が、半径方向凹部あるいは半径方向凸部の一方であり、自由端の円筒部の第２係合手段が、第１係合手段に弾発的に係脱自在の半径方向凸部あるいは半径方向凹部の他方である。
【００１０】
更に他の実施例では、本発明の綴じ具は単独で、あるいはバインダ等と組み合わせた状態で使用される。
【００１１】
【発明の実施の形態】
以下に、図１〜図４を参照して本発明の綴じ具を詳しく説明する。
図１には、本発明に従う綴じ具１０の部分拡大側面図が一部分を破除した状態で示されている。
綴じ具１０は、特に図３を参照して説明すると、長手方向の各端部位置に近接して形成した取り付け穴１２に金属あるいはプラスチック材料から作製した図示しない鋲部材等を挿通し、この綴じ具１０を例えばバインダなどの文具の内側に固定するための支持部材１４と、支持部材１４の一方の側部１６に沿って可動状態に連結した可動部材１８とを含んでいる。
【００１２】
支持部材１４は全体的に平坦に形成され、その長手方向の、可動部材１８を連結した側部１６とは反対側の側部２０に接近する位置に、図３及び図４に最も良く示されるような支柱部分２２が一体的に形成される。
一方、可動部材１８は、図示された実施例では支持部材１４の側部１６に沿って連結した細長いプレート１９と、このプレート１９の長手方向の各端部付近に接近する位置に一体的に形成した、略Ｕ字形の開閉部材２４とを含んでいる。
しかしながら、可動部材１８はプレート１９を含まないような形状のものであって良く、開閉部材２４を略Ｕ字形以外の形状のものとすることもできる。
【００１３】
開閉部材２４は自由端２６を有し、この自由端２６は、開閉部材２４を閉じた場合に支持部材１４の支柱部分２２の先端２８（図５参照）と合致するように位置決めされる。
また、自由端２６は本実施例では円形の横断面形状を有する円筒状の第１端部３０と、この第１端部３０の下端から先端部まで先細形状に延びる略円錐形状の第２端部３２とを含み、第１端部３０の周囲位置には以下に説明する支柱部分２２の第２係合手段と弾発的に係脱自在の第１係合手段３４が一体形成される。第１係合手段３４は本実施例では部分円弧状の断面を有する半径方向凸部として形成されている。
【００１４】
支柱部分２２の先端２８には、開閉部材２４を閉じた場合にこの開閉部材の自由端２６を嵌入させるための孔３６が形成される。孔３６は必要に応じて、図示される実施例のように支持部材１４を貫通するあるいは貫通しないようなものとすることができる。
【００１５】
孔３６の内部（図１及び図４参照）には、開閉部材２４の自由端２６の前記第１係合手段３４と弾発的に係合するための第２係合手段３８（図１及び図３参照）が一体的に形成される。第２係合手段３８は本実施例では、第１係合手段３４を係入させることのできる部分円弧状断面を有する半径方向凹部として形成されている。
【００１６】
支柱部分２２に形成した第２係合手段３８と係合する第１係合手段３４は、図２に明瞭に示されるように、本実施例では開閉部材２４の自由端２６の第１端部３０の周囲方向部分のある長さ範囲に沿って形成され、一方、支柱部分２２に形成した第２係合手段３８は、前記第１係合手段３４に相当する長さ範囲に渡り、支柱部分２２の内側周囲方向部分に沿って形成される。
【００１７】
支柱部分２２の先端２８の開口部４０の、第２係合手段３８と対向する側の上端部分４２（図１参照）が、この第２係合手段３８よりも高く且つ開口部４０のその他の上端部分よりも低くなるように位置決めされる。
【００１８】
開閉部材２４の第１係合手段３４と上端部分４２とをこうした高さ関係に位置付けすることにより、以下に説明するように本発明の綴じ具１０の操作性及び綴じ込み性を従来と同等あるいはそれ以上のものとすることが可能となる。
【００１９】
即ち、前記高さ関係によれば、開閉部材２４の略円錐状の第２端部３２が上端部分４２によって妨害されることなくスムーズに孔３６に入り込み、次いで孔３６の横断面形状と同一の横断面形状を有する柱状の第１端部３０に形成した第２係合手段３８が支柱部分２２の第１係合手段３４と係合するようになる。
【００２０】
その際に孔３６と同一の横断面形状を有する第１端部３０が、第２係合手段３８が孔３６に入るに先立って孔３６内にぴったりと充填されることで孔３６は既に変形する余裕が無くなり、結局、第２係合手段３８が第１係合手段３４にきつく無理嵌めされるようになって、前記第１係合手段３４と第２係合手段３８との係合力が増強されることとなる。
従って、前述の高さ関係とすることにより、係合を円滑に行なうことができると共に、第１係合手段３４と第２係合手段３８との係合力が増強されて、従来と同様あるいはそれ以上の充分な係合力を得ることができるようになる。
【００２１】
開閉部材２４には、その開閉動作を容易化するための指掛け凹所４４を形成することができる。更に、本発明の綴じ具１０は、例えば、支持部材１４を充分な大きさに形成することで単独使用することが可能であり、あるいは従来通り、バインダ等の文具と組み合わせた状態で使用することもできる。
【００２２】
また、本発明の更に他の実施例では、上述した綴じ具における支柱部分の先端と開閉部材の自由端との構成を逆にし、支持部材の支柱部分にではなくむしろ開閉部材の自由端側に上述した係合手段を有する孔を設け、この孔の開口部を介して開閉部材の自由端を支柱部材の先端に設けた対応する係合手段と弾発的に係脱自在の構成とすることもできる。
【００２３】
更には、支柱部分２２の孔３６及び自由端２６の第１端部の横断面形状を本実施例の円形とする以外に、本発明が必要とする強度、変形性などの条件が満たされる限りに於いて、楕円形、多角形、不定形、あるいはそれらを組み合わせた形状のものとすることも可能である。
【００２４】
【発明の効果】
プラスチック材料の使用量が少なく、しかも充分な綴じ込み性を有する綴じ具が提供される他、綴じ込んだ紙片などを大きくめくることのできる綴じ具が提供され、更には、円滑でしかも充分な係合力の得られる綴じ具が提供される。
【図面の簡単な説明】
【図１】本発明の綴じ具の、閉じた状態で表わす部分破除した部分側面図である。
【図２】図１を線Ａ−Ａで切断した断面図である。
【図３】本発明の綴じ具の、開いた状態での断面側面図である。
【図４】図４の綴じ具を図２の記号Ｂの方向から見た側面図である。
【図５】従来の綴じ具の斜視図である。
【符号の説明】
１０  綴じ具
１２  取り付け穴
１４  支持部材
１６、２０  側部
１８  可動部材
２２  支柱部分
２４  開閉部材
２６  自由端
２８  先端
３０  第１端部
３２  第２端部
３４  第１係合手段
３６  孔
３８  第２係合手段
４０  開口部
４２  上端部分
４４  指掛け凹所
【図１】
2005001270.tif 000003
【図２】
2005001270.tif 000004
【図３】
2005001270.tif 000005
【図４】
2005001270.tif 000006
【図５】
2005001270.tif 000007